(57)【要約】  本発明の実施例はパラメータ測定装置、基地局及び通信システムを提供する。該測定装置は、関連パラメータを測定するための測定ユニットを含む。そのうち、前記関連パラメータを測定する時に、スプリットベアラの測定を排除し、又は、スプリットベアラの測定を排除しない。スプリットベアラの状況に応じてそれ相応のL2測定を行うことで、スプリットベアラが存在するデュアルコネクティビティのシナリオ下でL2測定を正確に行うことができ、これにより、ネットワーク管理及び保守に有効なサポートを提供することができる。
2017514362.tif 000002
【特許請求の範囲】
【請求項１】
パラメータ測定装置であって、
関連パラメータを測定するための測定ユニットを含み、
前記関連パラメータが測定される時に、スプリットベアラ（split  bearer）の測定が含まれず又は含まれる、装置。
【請求項２】
請求項1に記載の装置であって、
前記測定ユニットは、前記スプリットベアラの測定が含まれない時に、前記スプリットベアラのうちの、第一セルグループに属する部分又は第二セルグループに属する部分の測定を含まず、
前記第一セルグループは、デュアルコネクティビティ（dual  connectivity）に参加する２つの基地局のうちの第一基地局に関連付けられているサービングセルからなり、前記第二セルグループは、前記デュアルコネクティビティに参加する前記２つの基地局のうちの第二基地局に関連付けられているサービングセルからなる、装置。
【請求項３】
請求項2に記載の装置であって、
前記測定ユニットは、前記スプリットベアラ以外の他のベアラ、及び、前記スプリットベアラのうちの含まれている部分をそれぞれ測定する、装置。
【請求項４】
請求項1に記載の装置であって、
前記測定ユニットは、前記スプリットベアラの測定が含まれない時に、前記スプリットベアラのうちの、第一セルグループに属する部分及び第二セルグループに属する部分の測定を含まず、
前記第一セルグループは、デュアルコネクティビティに参加する２つの基地局のうちの第一基地局に関連付けられているサービングセルからなり、前記第二セルグループは、前記デュアルコネクティビティに参加する前記２つの基地局のうちの第二基地局に関連付けられているサービングセルからなる、装置。
【請求項５】
請求項1に記載の装置であって、
前記測定ユニットは、前記スプリットベアラの測定が含まれる時に、前記スプリットベアラのうちの、第一セルグループに属する部分及び第二セルグループに属する部分をそれぞれ又は一括的に測定し、
前記第一セルグループは、デュアルコネクティビティに参加する２つの基地局のうちの第一基地局に関連付けられているサービングセルからなり、前記第二セルグループは、前記デュアルコネクティビティに参加する前記２つの基地局のうちの第二基地局に関連付けられているサービングセルからなる、装置。
【請求項６】
請求項1に記載の装置であって、
前記関連パラメータは、各QCIの、下りリンク又は上りリンクにおけるアクティブユーザ装置の個数（the  number  of  active  user  equipments  in  downlink  or  uplink  per  QCI（QoS  Class  Identifier））であり、
前記測定ユニットは、前記スプリットベアラの測定が含まれる時に、前記スプリットベアラに属しないアクティブユーザ装置の個数、及び、前記スプリットベアラに属するアクティブユーザ装置の個数をそれぞれ測定する、装置。
【請求項７】
請求項1に記載のパラメータ測定装置を含む、基地局。
【請求項８】
通信システムであって、
少なくとも２つの基地局、及び、シングルコネクティビティ方式又はデュアルコネクティビティ方式で前記基地局に接続される複数のユーザ装置を含み、
前記基地局は、関連パラメータを測定するために用いられ、
前記関連パラメータが前記基地局により測定される時に、スプリットベアラの測定が含まれず又は含まれる、通信システム。
【請求項９】
請求項8に記載の通信システムであって、
前記基地局は、前記スプリットベアラの測定が含まれない時に、前記スプリットベアラのうちの、第一セルグループに属する部分又は第二セルグループに属する部分の測定を含まず、
前記第一セルグループは、デュアルコネクティビティに参加する２つの基地局のうちの第一基地局に関連付けられているサービングセルからなり、前記第二セルグループは、前記デュアルコネクティビティに参加する前記２つの基地局のうちの第二基地局に関連付けられているサービングセルからなる、通信システム。
【請求項１０】
請求項8に記載の通信システムであって、
前記基地局は、前記スプリットベアラ以外の他のベアラ、及び、前記スプリットベアラのうちの含まれている部分をそれぞれ測定する、通信システム。
【請求項１１】
請求項8に記載の通信システムであって、
前記基地局は、前記スプリットベアラの測定が含まれない時に、前記スプリットベアラのうちの、第一セルグループに属する部分及び第二セルグループに属する部分の測定を含まず、
前記第一セルグループは、デュアルコネクティビティに参加する２つの基地局のうちの第一基地局に関連付けられているサービングセルからなり、前記第二セルグループは、前記デュアルコネクティビティに参加する前記２つの基地局のうちの第二基地局に関連付けられているサービングセルからなる、通信システム。
【請求項１２】
請求項8に記載の通信システムであって、
前記基地局は、前記スプリットベアラの測定が含まれる時に、前記スプリットベアラのうちの、第一セルグループに属する部分及び第二セルグループに属する部分をそれぞれ又は一括的に測定し、
前記第一セルグループは、デュアルコネクティビティに参加する２つの基地局のうちの第一基地局に関連付けられているサービングセルからなり、前記第二セルグループは、前記デュアルコネクティビティに参加する前記２つの基地局のうちの第二基地局に関連付けられているサービングセルからなる、通信システム。
【請求項１３】
請求項8に記載の通信システムであって、
前記関連パラメータは、各QCIの、下りリンク又は上りリンクにおけるアクティブユーザ装置の個数（the  number  of  active  user  equipments  in  downlink  or  uplink  per  QCI（QoS  Class  Identifier））であり、
前記基地局は、前記スプリットベアラの測定が含まれる時に、前記スプリットベアラに属しないアクティブユーザ装置の個数、及び、前記スプリットベアラに属するアクティブユーザ装置の個数をそれぞれ測定する、通信システム。
【発明の詳細な説明】
【技術分野】
【０００１】
本発明は、通信分野に関し、特に、パラメータ測定装置、基地局及び通信システムに関する。
【背景技術】
【０００２】
LTE（LTE、Long  Term  Evolution)システムでは、無線インターフェース・ユーザ・プレーン・プロトコール・スタックは、層1(L1、Layer  1)及び層2(L2、Layer  2)を含む。
【０００３】
図1は、従来のLTEシステムにおける無線インターフェース・ユーザ・プレーン・プロトコール・スタックの構成図である。図1に示すように、L1は物理層（PHY、Physical)であり、L2は、PDCP（PDCP、Packet  Data  Convergence  Protocol)層、RLC（RLC、Radio  Link  Control)層及びMAC（MAC、Medium  Access  Control)層を含む。
【０００４】
今のところ、E-UTRA（E-UTRA、Evolved  Universal  Terrestrial  Radio  Access)の無線リンク操作、無線リソース管理、ネットワーク運営及び保守、並びにネットワーク自己組織化／最適化にサポートを提供するために、基地局は、L2測定を行う必要があり、即ち、L2に関する関連パラメータに対して測定を行う必要がある。
【０００５】
スモールセル（small  cell)を配置した異質（heterogeneous）ネットワークでは、デュアルコネクティビティ（DC、Dual  Connectivity)技術を採用して、ユーザ装置（UE)のスループットを向上させ、移動ロバスト性を強化し、及びネットワークのシグナリングオーバーヘッドを低減するなどのことができる
図2は、デュアルコネクティビティ技術を構成したネットワークシステムのアーキテクチャを示す図である。図2に示すように、基地局は、接続状態にある、マルチ送受信機能を有するUEのためにデュアルコネクティビティを構成することができる。デュアルコネクティビティを構成した場合、２つの異なる基地局を用いて、UEに、データ伝送を行うための無線リソースを提供し、この２つの基地局は、非理想的バックホールのX2インターフェースにより接続され得る。
【０００６】
E-UTRAN（Evolved  Universal  Terrestrial  Radio  Access  Network)では、ベアラとは、データ伝送チャネル及びその構成を指し、異なるベアラは、異なるQoS（Quality  of  Service)要求のトラフィックを伝送するために、異なる構成を有しても良い。無線インターフェース上でのベアラは、無線ベアラ（RB、Radio  Bearer)と称され、そのうち、ユーザプレーンベアラは、データ無線ベアラ（DRB、Data  Radio  Bearer)と称される。デュアルコネクティビティが構成されたユーザ装置は、スプリットベアラ（Split  Bearer)というベアラが存在する。図3は、スプリットベアラを示す図である。図3に示すように、プロトコールスタックの角度から言えば、スプリットベアラとは、２つの基地局のリソースを同時に使用し、且つ、その対応する無線プロトコールスタックも該２つの基地局に存在するものを指す。
【０００７】
なお、上述の背景技術についての紹介は、本発明の技術案を明確且つ完全に説明し、当業者がそれを理解しやすいためのものである。これらの技術案は、本発明の背景技術の一部に記述されているため当業者にとって周知であると解釈すべきではない。
【発明の概要】
【発明が解決しようとする課題】
【０００８】
今のところ、デュアルコネクティビティを構成した場合、QoS属性が所定のQCIであるスプリットベアラについては、該スプリットベアラ上でのデータ伝送が２つの異なるネットワークサイトに同時に発生し、マスター基地局のPDCP層からスプリットされ、セカンダリ基地局にPDCP層が存在しないため、このようなスプリットベアラについては、現在のL2測定方式を適用することができず又はその測定結果が不正確な場合があり、例えば、関連パラメータ、例えば、下りリンクにおいてスケジューリングされたIPスループットに対して測定を行う時に、測定対象はPDCPサービスデータユニット（SDU、Service  Data  Unit)のビット数であるが、スプリットベアラについて言えば、セカンダリ基地局にPDCP層が存在しないため、該セカンダリ基地局は、PDCP  SDUのビット数の測定を行うことができない。
【０００９】
本発明の実施例は、測定方法及びその装置、基地局及び通信システムを提供し、これにより、スプリットベアラが存在するデュアルコネクティビティのシナリオ下で関連パラメータを正確に測定することで、ネットワーク管理及び保守に有効なサポートを提供することができる。
【課題を解決するための手段】
【００１０】
本発明の実施例の第一側面によれば、パラメータ測定装置が提供され、該装置は、
測定ユニットを含み、前記測定ユニットは、関連パラメータを測定するために用いられ、そのうち、前記関連パラメータを測定する時に、スプリットベアラに対しての測定を排除し（含まず）、又は、スプリットベアラに対しての測定を排除しない（含む）。
【００１１】
本発明の実施例の第二側面によれば、第一側面に記載のパラメータ測定装置を含む基地局が提供される。
【００１２】
本発明の実施例の第三側面によれば、通信システムが提供され、それは、少なくとも2つの基地局、及び、シングルコネクティビティの方式又はデュアルコネクティビティの方式で前記基地局に接続される複数のユーザ装置を含み、そのうち、
前記基地局は、関連パラメータを測定するために用いられ、そのうち、前記基地局が関連パラメータを測定する時に、スプリットベアラに対しての測定を排除し、又は、スプリットベアラに対しての測定を排除しない。
【００１３】
本発明の実施例の有益な効果は、スプリットベアラの状況に応じてそれ相応の測定を行うことで、スプリットベアラが存在するデュアルコネクティビティのシナリオ下で正確な測定を行い、ネットワーク管理及び保守に有効なサポートを提供することができるということである。
【００１４】
後述の説明及び図面を参照することで、本発明の特定の実施形態を詳しく開示し、本発明の原理を採用し得る態様を示す。なお、本発明の実施形態は、範囲上ではこれによって限定されない。添付した特許請求の範囲内であれば、本発明の実施形態は、様々な変更、修正及び代替によるものを含んでも良い。
【００１５】
また、１つの実施形態について説明した及び／又は示した特徴は、同じ又は類似した方式で１つ又は複数の他の実施形態に用い、他の実施形態中の特徴と組み合わせ、又は、他の実施形態中の特徴を置換することもできる。
【００１６】
なお、「含む／有する」のような用語は、本明細書に使用される時に、特徴、要素、ステップ、又は、アセンブルの存在を指すが、１つ又は複数の他の特徴、要素、ステップ、又は、アセンブリの存在又は付加を排除しないということも指す。
【図面の簡単な説明】
【００１７】
含まれている図面は、本発明の実施例への更なる理解を提供するために用いられ、これらの図面は、本明細書の一部を構成し、本発明の実施形態を例示し、文字記載とともに本発明の原理を説明するために用いられる。また、明らかのように、以下に記載される図面は、本発明の幾つかの実施例を示すためのものに過ぎず、当業者は、創造性のある労働をせずにこれらの図面に基づいて他の図面を得ることもできる。
【図１】従来のLTEシステムにおける無線インターフェース・ユーザ・プレーン・プロトコール・スタックの構成図である。
【図２】デュアルコネクティビティ技術を構成した通信システムの構成図である。
【図３】スプリットベアラを示す図である。
【図４】本発明の実施例1における測定方法のフローチャートである。
【図５】本発明の実施例1における通信システムの構成図である。
【図６】図5に対応するプロトコールスタックのアーキテクチャを示す図である。
【図７】本発明の実施例3におけるパラメータ測定装置の構成図である。
【図８】本発明の実施例4における基地局の構成図である。
【発明を実施するための形態】
【００１８】
添付した図面及び以下の説明を参照することにより、本発明の前述及び他の特徴は明らかになる。明細書及び図面では、本発明の特定の実施形態が開示され、それは、本発明の原理を採用し得る一部の実施形態を示す。理解すべきは、本発明は、記載されている実施形態に限定されず、添付した特許請求の範囲に属するすべての変更、変形及び代替によるものも含むということである。以下、図面をもとに本発明の各種の実施例について説明する。なお、これらの実施例は例示に過ぎず、本発明を限定するものではない。
【００１９】
スモールセル(small  cell)を配置した異質ネットワークでは、デュアルコネクティビティを構成したシナリオの下で、該システムは、複数のユーザ装置（UE)、及び、少なくとも２つの基地局、例えば、デュアルコネクティビティの操作に参与（参加）する第一基地局及び第二基地局を含み、そのうち、一部のUEは、デュアルコネクティビティの方式で該第一基地局及び第二基地局に接続されており、また、一部のUEは、従来の方式、即ち、シングルコネクティビティの方式で該第一基地局又は第二基地局に接続されている。
【００２０】
本発明の実施例は、パラメータ測定方法及びその装置、基地局及び通信システムを提供する。該方法は、関連パラメータを測定する時に、スプリットベアラに対しての測定を排除し、又は、スプリットベアラに対しての測定を排除しないことを含む。本実施例の方法により、スプリットベアラが存在するデュアルコネクティビティのシナリオ下で関連パラメータを正確に測定することで、ネットワーク管理及び保守に有効なサポートを提供することができる。
【００２１】
本実施例では、該関連パラメータは、L2に関する関連パラメータであっても良く、また、以下のパラメータの一つ又は一つ以上を含んでも良いが、以下のパラメータに限定されない。
【００２２】
1)下りリンク中で各QCIに対応するアクティブUEの個数（Number  of  Active  UEs  in  the  DL  per  QCI);
2)上りリンク中での各QCIに対応するアクティブUEの個数（Number  of  Active  UEs  in  the  UL  per  QCI);
3)下りリンク中での各QCIに対応するパケット遅延（Packet  Delay  in  the  DL  per  QCI);
該パケット遅延とは、下りリンク中での各QCIのデータパケットについて、パケット到着からパケット成功受信までに経験した平均遅延を指す。
【００２３】
4)下りリンク中での各QCIに対応するパケット破棄率（Packet  Discard  Rate  in  the  DL  per  QCI);
該パケット破棄率とは、下りリンク中でのQCIに対応するデータパケットについて、輻輳などの原因で、無線リンクにて未だ伝送されておらず、破棄される確率を指す。
【００２４】
5)下りリンク中での各QCIに対応するパケットUuロス率（Packet  Uu  Loss  Rate  in  the  DL  per  QCI);
該パケットUuロス率とは、下りリンク中でのQCIに対応するデータパケットについて、チャネル条件が悪いなどの原因で、Uuインターフェース（無線インターフェース）にて伝送されているが、その伝送が不成功であることによるデータパケットのロスの確率を指す。
【００２５】
6)上りリンク中での各QCIに対応するパケットロスレート（Packet  Loss  Rate  in  the  UL  per  QCI)；
該パケットロスレートとは、上りリンク中でのQCIに対応するデータパケットについて、チャネル条件が悪いなどの原因によるデータパケットのロスの確率を指す。
【００２６】
7)下りリンク中でのスケジューリングされたIPスループット（Scheduled  IP  Throughput  in  DL);
該スループットとは、下りリンク中でのUEに対応するQCIに対応するデータパケットの成功伝送のデータビット率を指す。
【００２７】
8)上りリンク中でのスケジューリングされたIPスループット（Scheduled  IP  Throughput  in  UL);
該スループットとは、上りリンク中でのUEに対応するQCIに対応するデータパケットの成功伝送のデータビット率を指す。
【００２８】
本実施例では、基地局が関連パラメータ、例えば、上述のパラメータ1)〜8)を測定する時に、QCIに対応するスプリットベアラの測定を排除しても良く、例えば、スプリットベアラ中でのマスターセルグループ（MCG)及び／又はセカンダリセルグループ（SCG)に属する部分の測定を排除しても良く；或いは、スプリットベアラに対しての測定を排除しなくても良く、例えば、スプリットベアラ中でのマスターセルグループ（MCG)及びセカンダリセルグループ（SCG)に属する部分に対してそれぞれ又は一括的に測定を行っても良く、又は、スプリットベアラの関連パラメータ及びスプリットベアラでない関連パラメータに対してそれぞれ測定を行っても良い。
【００２９】
本実施例では、スプリットベアラが存在する時に、基地局は、上述の方式のうちの任意の一つを採用して測定を行っても良く、また、異なる基地局が採用する測定方式は、同じであっても良く異なっても良い。
【００３０】
以下、図面に基づいて本発明の実施例におけるパラメータ測定方法、装置、基地局及び通信システムについて説明する。
【実施例１】
【００３１】
本発明の実施例1はパラメータ測定方法を提供し、該方法は、関連パラメータを測定する時に、スプリットベアラの測定を排除しない（含む）。
【００３２】
上述の実施例から分かるように、スプリットベアラの状況に応じて関連パラメータを測定することで、正確な測定結果を得ることができ、これにより、ネットワーク管理及び保守に有効なサポートを提供することができる。
【００３３】
本実施例では、スプリットベアラに対しての測定を排除しない時に、基地局は、QCIに対応するベアラがスプリットベアラでない関連パラメータ、及び、QCIに対応するベアラがスプリットベアラである関連パラメータに対して、それぞれ、測定を行っても良い。例えば、該関連パラメータが上述のパラメータ1)又は2)であるときに、上述の方法を採用して測定することができる。
【００３４】
図4は、本発明の実施例1における測定方法のフローチャートである。図4に示すように、次のステップを含む。
【００３５】
ステップ401:QoSクラス識別子（QCI)に対応するベアラがスプリットベアラでないアクティブユーザ装置の個数に対して測定を行い；
ステップ402:QoSクラス識別子（QCI)に対応するベアラがスプリットベアラであるアクティブユーザ装置の個数に対して測定を行う。
【００３６】
上述の実施例では、各ステップの実行順序は上述の実施例に限定されず、先にステップ402を実行し、それから、ステップ401を実行しても良く、又は、ステップ401及び402を同時に実行しても良い。
【００３７】
上述の実施例から分かるように、スプリットベアラでない及びスプリットベアラであるアクティブUEの個数をそれぞれ測定することで、スプリットベアラが存在するデュアルコネクティビティのシナリオ下で正確にL2測定を行うことができ、これにより、ネットワーク管理及び保守に有効なサポートを提供することができる。
【００３８】
本実施例では、該関連パラメータが、上述のパラメータ1)、即ち、下りリンク中での各QCIに対応するアクティブUEの個数である時に、公式（1)を採用して下りリンク中での各QCIに対応するベアラがスプリットベアラでないアクティブUEの個数を確定することができ、公式（2)を採用して下りリンク中での各QCIに対応するベアラがスプリットベアラであるアクティブUEの個数を確定することができる。
【数１】
2017514362.tif 000003
【数２】
2017514362.tif 000004
【００３９】
そのうち、M1(T,qci,p)は、QCI=qciに対応するベアラがスプリットベアラでないアクティブUEの個数であり、N1(i,qci)は、測定サンプリングの時間点i(ここ及び以下では、サンプリング点iと称する)に、QCI=qciに対応するベアラがスプリットベアラではなく且つL2下りリンクバッファデータが存在するUEの個数であり；M2(T,qci,p)は、QCI=qciに対応するベアラがスプリットベアラであるアクティブUEの個数であり、N2(i,qci)は、サンプリング点iに、QCI=qciに対応するベアラがスプリットベアラであり且つL2下りリンクバッファデータが存在するUEの個数である。
【００４０】
本実施例では、該関連パラメータが上述のパラメータ2)、即ち、上りリンク中での各QCIに対応するアクティブUEの個数である時に、公式（3)を採用して上りリンク中での各QCIに対応するベアラがスプリットベアラでないアクティブUEの個数を確定することができ、公式（4)を採用して上りリンク中での各QCIに対応するベアラがスプリットベアラであるアクティブUEの個数を確定することができる。
【数３】
2017514362.tif 000005
【数４】
2017514362.tif 000006
【００４１】
そのうち、M3(T,qci,p)は、QCI=qciに対応するベアラがスプリットベアラでないアクティブUEの個数であり、N3(i,qci)は、サンプリング点iに、QCI=qciに対応するベアラがスプリットベアラではない且つL2上りリンクバッファデータが存在するUEの個数であり；M4(T,qci,p)は、QCI=qciに対応するベアラがスプリットベアラであるアクティブUEの個数であり、N4(i,qci)は、サンプリング点iに、QCI=qciに対応するベアラがスプリットベアラであり且つL2上りリンクバッファデータが存在するUEの個数である。
【００４２】
上述の公式（1)〜（4)では、I1(T,p)〜I4(T,p)とは、時間T内の総サンプリング点数を指し、Pはサンプリング間隔である。
【００４３】
上述の実施例から分かるように、スプリットベアラでない及びスプリットベアラであるアクティブUEの個数をそれぞれ測定することで、即ち、スプリットベアラの状況に応じてそれ相応の測定を行うことで、スプリットベアラが存在するデュアルコネクティビティのシナリオ下で正確にL2測定を行うことができ、これにより、ネットワーク管理及び保守に有効なサポートを提供することができる。
【００４４】
以下、図5及び図6に示すシナリオを例として説明を行う。
【００４５】
図5は、本発明の実施例1における通信システムの構成図である。図5に示すように、該通信システムは、複数のユーザ装置、例えば、UE1、UE2及びUE3、及び、少なくとも2つの基地局、例えば、2つの基地局を含み、該2つの基地局は、それぞれ、第一基地局及び第二基地局であり、eNBl及びeNB2と表される。
【００４６】
そのうち、UE1は従来の方式（シングルコネクティビティの方式）でeNBlに接続されており、その対応するベアラはRB1であり;UE3は従来の方式（シングルコネクティビティの方式）でeNB2に接続されており、その対応するベアラはRB3であり;UE2はデュアルコネクティビティの方式で同時にeNBl及びeNB2に接続されており、該UE2に対応するスプリットベアラはRB2であり、該スプリットベアラRB2の、第一基地局に対応する部分は第一セルグループの部分と称され、即ち、第一基地局に関するサービングセルからなるセルグループの部分であり、RB2の、第二基地局に対応する部分は、第二セルグループの部分と称され、即ち、第二基地局に関するサービングセルからなるセルグループの部分であり、両者は、それぞれ、2a及び2bにより表される。
【００４７】
例えば、図2に示すように、MME（MME、Mobility  Management  Entity)とS1-MMEインターフェースを維持する基地局は、マスター基地局と称され、マスター基地局に関するサービングセルは、マスターセルグループ（MCG、Master  Cell  Group)を構成し;また、余分な（extra）無線リソースを提供するもう一つの基地局は、セカンダリ基地局と称され、それ相応に、セカンダリ基地局に関するサービングセルは、セカンダリセルグループ（SCG、Secondary  Cell  Group)を構成する。本実施例では、例えば、該eNBlはMeNBであり、該eNB2はSeNBであり、該スプリットベアラRB2の、MeNB及びSeNBにそれぞれ対応する部分は、MCGの部分及びSCGの部分と称され、それぞれ、2a及び2bであり、その逆もまた然りである。そのうち、RB1、RB2及びRB3は同じQCIを有する。以下、eNBlがMeNBであり、eNB2がSeNBである場合を例として説明する。
【００４８】
図6は、図5に対応するプロトコールスタックのアーキテクチャを示す図である。図6に示すように、RB1は、UE1がシングルコネクティビティの方式でeNBlに接続されるベアラであり、RB3は、UE3がシングルコネクティビティの方式でeNB2に接続されているベアラであり、RB2は、UE2がデュアルコネクティビティの方式でeNBl及びeNB2に接続されているスプリットベアラであり、それはMCGの部分及びSCGの部分を含み、両者はそれぞれ2a及び2bと称される。
【００４９】
図5及び図6のシナリオでは、上述のパラメータ1)及び2)について、eNBlは、QCIに対応するベアラがスプリットベアラでないUE(即ち、シングルコネクティビティのUE、例えば、UE1)の個数、及び、QCIに対応するベアラがスプリットベアラであるUE(即ち、デュアルコネクティビティのUE、例えば、UE2)の個数に対してそれぞれ統計を行う。
【００５０】
同様に、eNB2は、QCIに対応するベアラがスプリットベアラでないUE(即ち、シングルコネクティビティのUE、例えば、UE1)の個数、及び、QCIに対応するベアラがスプリットベアラであるUE(即ち、デュアルコネクティビティのUE、例えば、UE2)の個数に対してそれぞれ統計を行う。
【００５１】
eNBl及びeNB2がパラメータ1)を測定する時に、上述の公式（1)及び（2)を採用しても良く、パラメータ2)を測定する時に、上述の公式（3)及び（4)を採用しても良い。
【００５２】
以上、図5に示すシステムに2つの基地局及び3つのUEが含まれる場合について説明したが、2つ以上の基地局及び3つ以上のUEが含まれる場合については、パラメータ測定方法も同様であるため、ここではその詳しい説明を省略する。
【実施例２】
【００５３】
本発明の実施例2はさらにパラメータ測定方法を提供し、該方法は、基地局が関連パラメータを測定する時に、スプリットベアラに対しての測定を排除し、又は、スプリットベアラに対しての測定を排除しないことを含む。
【００５４】
上述の実施例から分かるように、スプリットベアラを排除して又はスプリットベアラを排除しないで測定を行うことで、スプリットベアラが存在するデュアルコネクティビティのシナリオ下で正確に測定を行うことができ、それにより、ネットワーク管理及び保守に有効なサポートを提供することができる。
【００５５】
本実施例では、スプリットベアラに対しての測定を排除する時に、スプリットベアラの一部分に対しての測定を排除しても良く、スプリットベアラのすべての部分に対しての測定を排除しても良く、例えば、
1)スプリットベアラ中でのマスターセルグループ（MCG)又はセカンダリセルグループ（SCG)に属する部分の測定を排除し、例えば、図5に示すシステムについて、eNBlはSCGの部分を測定せず、eNB2はMCGの部分を測定せず；
2)スプリットベアラ中でのマスターセルグループ（MCG)及びセカンダリセルグループ（SCG)に属する部分の測定を排除し、例えば、eNBl及びeNB2はMCG及びSCGの部分をすべて測定しない。
【００５６】
本実施例では、スプリットベアラに対しての測定を排除しない時に、該スプリットベアラ中でのMCG及びSCGに属する部分をそれぞれ測定し、又は、一括で測定を行っても良い。
【００５７】
本実施例では、プリットベアラが存在する場合、基地局は、上述の任意の一つの方法を用いて関連パラメータを測定することができ、また、異なる基地局が使用する測定方式は、同じであっても良く異なっても良い。
【００５８】
以下、図5及び図6のシナリオをもとに、上述のパラメータ3)〜8)の測定をそれぞれ説明する。
【００５９】
一、パラメータ3)、即ち、下りリンク中での各QCIに対応するパケット遅延
例1:eNBl及びeNB2はともにスプリットベアラに対しての測定を排除し、即ち、ともにRB2(例えば2a及び2bの部分）を測定せず、それぞれ、RB1及びRB3のみ測定し；
例2：eNBlは、スプリットベアラ中でのSCGに属する部分の測定を排除し、eNB2は、スプリットベアラ中でのMCG及びSCGに属する部分の測定を排除する。
【００６０】
図5及び図6に示すように、該eNBlは、RB1及びRB2のMCGの部分（2a)を測定し、該eNB2は、RB3のみ測定し、RB2(例えば2a及び2bの部分）を測定しない。
【００６１】
例3：eNBlは、スプリットベアラに対しての測定を排除せず、例えば、RB2中でのMCG及びSCGに属する部分を測定し、eNB2は、スプリットベアラに対しての測定を排除する。
【００６２】
図5及び図6に示すように、eNBlは、RB1及びRB2の2a及び2bを測定し（それぞれ又は一括的に測定しても良い）；eNB2は、RB3を測定し、RB2(例えば2a及び2bの部分）測定しない。
【００６３】
この場合、eNBlがRB2の2bの部分を測定する時に、eNB2から、データパケットが正確に受信されているかを示す受信状態情報を得る必要がある。
【００６４】
例4：eNBlは、スプリットベアラ中でのSCGに属する部分の測定を排除し、eNB2は、スプリットベアラ中でのMCGに属する部分の測定を排除する。
【００６５】
図5及び図6に示すように、eNBlは、RB1及びRB2の2aの部分を測定し；eNB2は、RB3及びRB2の2bの部分を測定する。
【００６６】
この場合、eNB2がRB2の2bの部分を測定する時に、それは、パケットの到着参考点がRLC層の上位（upper）サービスアクセスポイント（SAP、Service  Access  Point)であると測定し、該上位SAPとは、RLCと、その上の層との間のSAPを指し、eNB2の2bの部分に対しての遅延測定はさらにX2の遅延に対しての測定を含んでも良い。
【００６７】
本実施例では、従来方法のうちの任意の方法を用いて、下りリンク中での各QCIに対応するパケット遅延(Packet  Delay)を測定することができる。例えば、以下の公式（5)を用いて下りリンク中での各QCIに対応するパケット遅延を測定しても良い。
【数５】
2017514362.tif 000007
【００６８】
そのうち、上述の例1〜例3では、eNBl及びeNB2が測定を行う時に、パケット到着の参考点がPDCP層の上位SAP（SAP、Service  Access  Point)であるが、例4では、eNBlが測定を行う時に、パケット到着の参考点がPDCP層の上位SAPであり、eNB2が測定を行う時に、パケット到着の参考点がRLC層の上位SAPであり、パケット成功受信の参考点がMAC層の下位サービスアクセスポイント（SAP)である。また、M5(T,qci)は、時間期間T内で下りリンクの各QCIのパケット遅延に対しての統計量であり、tArrive(i)は、パケット到着時間であり、aAck(i)は、受信したHARQフィードバック情報に基づいて得られたSDU受信時間であり、iは、SDUであり、I(T)は、データパケットの総数である。例えば、上述のパケットはSDUであっても良く、参考点が異なることにより、該SDUも異なり、即ち、参考点がPDCP層の上位SAPである時に、該SDUはPDCP  SDUであり、参考点がRLC層の上位SAPである時に、該SDUはRLC  SDUである。
【００６９】
二、パラメータ4)、即ち、下りリンク中での各QCIに対応するパケット破棄率
例1：eNBl及びeNB2はともにスプリットベアラに対しての測定を排除し、即ち、RB2(例えば、2a及び2bの部分)を測定せず、RB1及びRB3だけをそれぞれ測定する。
【００７０】
例2：eNB1は、スプリットベアラ中のSCGに属する部分に対しての測定を排除し、eNB2は、スプリットベアラ中のMCG及びSCGに属する部分に対しての測定を排除する。
【００７１】
図5及び図6に示すように、該eNBlは、RB1及びRB2のMCGの部分（2a)を測定し、該eNB2は、RB3のみ測定し、RB2(例えば、2a及び2bの部分）を測定しない。
【００７２】
例3：eNBlは、スプリットベアラに対しての測定を排除せず、例えば、RB2中のMCG及びSCGに属する部分（2a及び2b)を測定し、eNB2は、スプリットベアラに対しての測定を排除する。
【００７３】
図5及び図6に示すように、eNBlは、RB1及びRB2の2a及び2bを測定し（それぞれ又は一括的に測定する）、eNB2は、RB3を測定し、RB2(例えば、2a及び2bの部分）を測定しない。
【００７４】
本実施例では、eNBlの2bの部分に対しての測定は、eNB2から、データパケット破棄情報、例えば、所定時間内でのデータパケット破棄数を得る必要がある。そのうち、該eNB2は、イベントによりトリガーされても良く、周期的にeNBlに該データパケット破棄情報を送信することで、該eNBlに、上述のデータパケット破棄情報を取得させても良い。例えば、イベントによりトリガーされる場合、eNBlは、eNB2にリクエストを送信し、eNB2がeNBlに2bの類型のベアラのデータパケット破棄情報を送信するように指示し、又は、2bの類型のベアラのデータパケット破棄数又破棄率が所定閾値に達した時に、eNB2がNBlにデータパケット破棄情報を送信するように指示し、又は、eNB2が一定の周期でeNBlに2bの類型のベアラのデータパケット破棄情報を送信するように指示する。
【００７５】
例4：eNBlは、スプリットベアラ中のSCGに属する部分に対しての測定を排除し、eNB2は、スプリットベアラ中のMCGに属する部分の測定を排除する。
【００７６】
図5及び図6に示すように、eNBlは、RB1及びRB2の2aの部分を測定し、eNB2は、RB3及びRB2の2bの部分を測定する。
【００７７】
本実施例では、該方法はさらに、eNB2がスプリットベアラのSCG部分（2b)及び他のベアラ（例えば、RB3)をそれぞれ測定することを含む。即ち、eNB2は、2b及びRB3に対してそれぞれ測定、統計を行い、2bについて１つの統計値を維持し、RB3について１つの統計値を維持する。
【００７８】
図5及び図6に示すように、eNBlは、RB1及び2aを測定し、eNB2は、RB3及び2bを測定し、且つ、それぞれ測定を行う。該方法を実現するために、2bの測定の場合、eNB2が測定のパケット到着参考点は、RLC層の上位SAPである。
【００７９】
本実施例では、従来方法のうちの任意の方法を用いて、下りリンク中での各QCIに対応するパケット破棄率を測定することができる。例えば、以下の公式（6)を用いて、下りリンク中での各QCIに対応するパケット破棄率を測定しても良い。
【数６】
2017514362.tif 000008
【００８０】
そのうち、上述の例1〜例3では、eNBl及びeNB2が測定を行う時に、参考点は、PDCP層の上位SAPであり、該PDCP層の上位SAPとは、該PDCP層と、上の層のインターフェースとの間のSAPを指し、例4では、eNBlが測定を行う時に、参考点は、PDCP層の上位SAPであり、eNB2が測定を行う時に、参考点は、RLC層の上位SAPであっても良い。また、M6(T,qci)は、T時間期間内でのパケット破棄率の統計量であり、Ddisc(T,qci)は、破棄されて無線インターフェース上でまだ伝送されていないデータパケットであり、N(T,qci)は、到着した下りリンクデータパケットの総数である。例えば、上述のデータパケットはSDUであっても良く、参考点が異なることにより、該SDUも異なり、即ち、参考点がPDCP層の上位SAPである時に、該SDUはPDCP  SDUであり、参考点がRLC層の上位SAPである時に、該SDUはRLC  SDUである。
【００８１】
三、パラメータ5)、即ち、下りリンク中の各QCIに対応するパケットUuロス率
例1:eNBl及びeNB2はともにスプリットベアラに対しての測定を排除し、即ち、RB2(例えば、2a及び2bの部分）を測定せず、RB1及びRB3だけをそれぞれ測定する。
【００８２】
例2：eNBlは、スプリットベアラ中のSCGに属する部分の測定を排除し、eNB2は、スプリットベアラ中のMCG及びSCGに属する部分の測定を排除する。
【００８３】
図5及び図6に示すように、該eNBlは、RB1及びRB2のMCGの部分（2a)を測定し、該eNB2は、RB3のみ測定し、RB2(例えば、2a及び2bの部分）を測定しない。
【００８４】
例3：eNBlは、スプリットベアラに対しての測定を排除せず、例えば、RB2中のMCG及びSCGに属する部分（2a及び2b)を測定し、eNB2は、スプリットベアラに対しての測定を排除する。
【００８５】
図5及び図6に示すように、eNBlは、RB1及びRB2の2a、2bを測定し（それぞれ又は一括的に測定する）、eNB2は、RB3を測定し、RB2(例えば、2a及び2bの部分）を測定しない。
【００８６】
本実施例では、eNBlの2bの部分に対しての測定は、eNB2から、データパケットロス情報、例えば、所定時間内でのデータパケットロス数を得る必要がある。そのうち、該eNB2は、イベントによりトリガーされても良く、周期的にeNBlに該データパケットロス情報を送信することで、該eNBlに、上述のデータパケットロス情報を取得させても良い。例えば、イベントによりトリガーされる場合、eNBlは、eNB2にリクエストを送信し、eNB2がeNBlに2bの類型のベアラのデータパケットロス情報を送信するように指示し、又は、2bの類型のベアラのデータパケットロス数又はロス率が所定閾値に達した時に、eNB2がeNBlにデータパケットロス情報を送信するように指示し、又は、eNB2が一定の周期でeNBlに2bの類型のベアラのデータパケットロス情報を送信するように指示する。
【００８７】
本実施例では、従来方法のうちの任意の方法を用いて、下りリンク中での各QCIに対応するパケットUuロス率を測定することができる。例えば、以下の公式（7)を用いて下りリンク中での各QCIに対応するパケットUuロス率を測定しても良い。
【数７】
2017514362.tif 000009
【００８８】
そのうち、上述のパケットは、PDCP  SDUであり、M7(T,qci)は、T時間期間内でのパケットロスレートの統計量であり、Dloss(T,qci)は、無線インターフェース上で伝送されているが、その伝送が失敗したデータパケットの個数であり、N(T,qci)は、無線インターフェース上で伝送されており且つ伝送が成功したデータパケットの個数である。
【００８９】
四、パラメータ6)、即ち、上りリンク中での各QCIに対応するパケットロスレート
例1：eNBl及びeNB2はともにスプリットベアラに対しての測定を排除し、即ち、RB2(例えば、2a及び2bの部分）を測定せず、RBI及びRB3だけをそれぞれ測定する。
【００９０】
例2：eNBlは、スプリットベアラ中のSCGに属する部分の測定を排除し、eNB2は、スプリットベアラ中のMCG及びSCGに属する部分の測定を排除する。
【００９１】
図5及び図6に示すように、該eNBlは、RB1及びRB2のMCGの部分（2a)を測定し、該eNB2は、RB3のみ測定し、RB2(例えば、2a及び2bの部分）を測定しない。
【００９２】
例3：eNBlは、スプリットベアラ中のSCGに属する部分の測定を排除し、eNB2は、スプリットベアラ中のMCGに属する部分の測定を排除する。
【００９３】
図5及び図6に示すように、eNBlは、RB1及びRB2の2aを測定し（それぞれ又は一括的に測定する）、eNB2は、RB3及びRB2の2bを測定する。
【００９４】
本実施例では、該方法はさらに、eNB2がスプリットベアラのSCG部分（2b)及び他のベアラ（例えば、RB3)をそれぞれ測定することを含む。即ち、eNB2は、2b及びRB3に対してそれぞれ測定、統計を行い、2bについて一つの統計値を維持し、RB3について一つの統計値を維持する。
【００９５】
本実施例では、eNBlはRB1及び2aを測定し、eNB2はRB3及び2bを測定し、且つそれぞれ測定する。該方法を実現するために、2bの測定について、eNB2が測定のパケット参考点はRLC層の上位SAPである。
【００９６】
本実施例では、従来方法のうちの任意の方法を用いて、下りリンク中での各QCIに対応するパケット破棄率を測定することができる。例えば、以下の公式（8)を用いて、上りリンク中での各QCIに対応するパケットロスレートを測定しても良い。
【数８】
2017514362.tif 000010
【００９７】
そのうち、例1〜例2では、eNBl及びeNB2が測定を行う時に、参考点はPDCP層の上位SAPであり、例3では、eNBlが測定を行う時に、参考点は、PDCP層の上位SAPであり、eNB2が測定を行う時に、参考点は、RLC層の上位SAPである。また、M8(T,qci)は、T時間期間内でのパケットロスレートの統計量であり、Dloss(T,qci)は、ロスされた上りリンクデータパケットのシーケンス番号の個数であり、N(T,qci)は、１番目に受信したものから、最後に受信したデータパケットまでのシーケンス順番号の差である。例えば、上述のデータパケットは、SDUであり、参考点が異なることにより、該SDUも異なり、即ち、参考点がPDCP層の上位SAPである時に、該SDUは、PDCP  SDUであり、参考点がRLC層の上位SAPである時に、該SDUは、RLC  SDUである。
【００９８】
五、パラメータ7)及びパラメータ8)、即ち、下りリンク及び上りリンク中でのスケジューリングされたIPスループット
例1:eNBl及びeNB2はともにスプリットベアラに対しての測定を排除し、即ち、RB2(例えば、2a及び2bの部分）を測定せず、RB1及びRB3だけをそれぞれ測定する。
【００９９】
例2：eNBlは、スプリットベアラ中のSCGに属する部分の測定を排除し、eNB2は、スプリットベアラ中のMCG及びSCGに属する部分の測定を排除する。
【０１００】
図5及び図6に示すように、該eNBlは、RB1及びRB2のMCGの部分（2a)を測定し、該eNB2は、RB3のみ測定し、RB2(例えば、2a及び2bの部分）を測定しない。
【０１０１】
例3：eNBlは、スプリットベアラに対しての測定を排除せず、例えば、RB2中のMCG及びSCGに属する部分（2a及び2b)を測定し、eNB2は、スプリットベアラに対しての測定を排除する。
【０１０２】
図5及び図6に示すように、eNBlは、RB1及びRB2の2a、2bを測定し（それぞれ又は一括的に測定する）、eNB2は、RB3を測定し、RB2(例えば、2a及び2bの部分）を測定しない。
【０１０３】
本実施例では、eNBlの2bに対しての測定は、eNB2から、データ受信情報、例えば、所定時間内での、成功受信と確認されたRLC  SDUのビット数を得る必要がある。そのうち、該eNB2は、イベントによりトリガーされても良く、周期的にeNBlに該データ受信情報を送信することで、該eNBlに、上述のデータ受信情報を取得させても良い。例えば、イベントによりトリガーされる場合、eNBlは、eNB2にリクエストを送信し、eNB2がeNBlに2bの類型のベアラのデータ受信情報を送信するように指示し、又は、2bの類型のベアラのデータ受信情報が所定閾値に達した時に、eNB2がeNBlにデータ受信情報を送信するように指示し、又は、eNB2が一定の周期でeNBlに2bの類型のベアラのデータ受信情報を送信するように指示する。
【０１０４】
本実施例では、従来方法のうちの任意の方法を用いて、下りリンク及び上りリンク中でのスケジューリングされたIPスループットを測定することができる。例えば、以下の公式（9)を用いて、下りリンク又は上りリンク中でのスケジューリングされたIPスループット中での各QCIに対応するパケットロスレートを測定しても良い。
【数９】
2017514362.tif 000011
【０１０５】
そのうち、該データ量とは、PDCP  SDUのビット数を指し、データを正確的に受信する参考点は、MAC層の上位SAPであり、ThpTimeDlは、データ流の伝送時間であり、ThpVolDlは、データ流のデータ量の大小（サイズ）である。
【０１０６】
上述の実施例から分かるように、スプリットベアラを排除して又はスプリットベアラを排除しないでそれ相応の測定を行い、即ち、スプリットベアラの状況に応じてそれ相応の測定を行うことで、スプリットベアラが存在するデュアルコネクティビティのシナリオ下でL2を正確に測定することができ、これにより、ネットワーク管理及び保守に有効なサポートを提供することができる。
【実施例３】
【０１０７】
図7は本発明の実施例3におけるパラメータ測定装置の構成図である。図3に示すように、装置700は測定ユニット701を含み、測定ユニット701は関連パラメータを測定する時に、スプリットベアラへの測定を排除しない。
【０１０８】
上述の実施例から分かるように、スプリットベアラの状況に応じて関連パラメータを測定することで、正確な測量結果を得ることができ、これにより、ネットワーク管理及び保守に有効なサポートを提供することができる。
【０１０９】
本実施例では、スプリットベアラに対しての測定を排除しない時に、基地局は、QCIに対応するベアラがスプリットベアラではない関連パラメータ、及び、QCIに対応するベアラがスプリットベアラである関連パラメータをそれぞれ測定することができる。
【０１１０】
例えば、該関連パラメータが上述のパラメータ1)又は2)の時に、異なる測定ユニットを採用して、スプリットベアラ及び非スプリットベアラの関連パラメータをそれぞれ測定することができる。このように、本実施例では、図7に示すように、測定ユニット701は、第一測定ユニット702及び第二測定ユニット703を含んでも良く、そのうち、第一測定ユニット702は、QCIに対応するベアラがスプリットベアラでないアクティブユーザ装置の個数を測定し、第二測定ユニット703は、QCIに対応するベアラがスプリットベアラであるアクティブユーザ装置の個数を測定する。
【０１１１】
本実施例では、実施例1における公式（1)及び（2)並びに（3)及び（4)を用いて、下りリンク及び上りリンクのアクティブUEの個数を測定することができ、ここではその詳しい説明を省略する。
【０１１２】
上述の実施例から分かるように、スプリットベアラでない及びスプリットベアラであるアクティブUEの個数をそれぞれ測定し、即ち、スプリットベアラの状況に応じてそれ相応の測定を行うことで、スプリットベアラが存在するデュアルコネクティビティのシナリオでL2を正確に測定することができ、これにより、ネットワーク管理及び保守に有効なサポートを提供することができる。
【実施例４】
【０１１３】
本発明の実施例4はさらにパラメータ測定装置を提供し、該装置は、測定ユニットを含み、該測定ユニットは、基地局が関連パラメータを測定する時に、スプリットベアラに対しての測定を排除し、又は、スプリットベアラに対しての測定を排除しない。
【０１１４】
上述の実施例から分かるように、スプリットベアラを排除して又はスプリットベアラを排除しないで測定を行うことで、スプリットベアラが存在するデュアルコネクティビティのシナリオ下で正確に測定を行うことができ、これにより、ネットワーク管理及び保守に有効なサポートを提供することができる。
【０１１５】
本実施例では、該測定ユニットは、スプリットベアラに対しての測定を排除する時に、スプリットベアラの一部への測定を排除しても良く、スプリットベアラの全ての部分への測定を排除しても良い。
【０１１６】
例えば、1)スプリットベアラ中のマスターセルグループ（MCG)又はセカンダリセルグループ（SCG)に属する部分への測定を排除し、例えば、図5に示すシステムについて、eNBlは、SCGの部分を測定せず、eNB2は、MCGの部分を測定しない。
【０１１７】
2)スプリットベアラ中のマスターセルグループ（MCG)及びセカンダリセルグループ（SCG)に属する部分への測定を排除し、例えば、eNBl及びeNB2は、MCG及びSCGの部分をともに測定しない。
【０１１８】
本実施例では、スプリットベアラに対しての測定を排除しない時に、該スプリットベアラ中のMCG及びSCGに属する部分をそれぞれ測定し、又は、一括的に測定しても良い。
【０１１９】
本実施例では、スプリットベアラが存在する場合、該測定ユニットは、上述の任意の方式を使用して関連パラメータを測定することができ、また、異なる基地局の測定ユニットが使用する測定方式は、同じであっても良く異なっても良い。
【０１２０】
本実施例では、該測定ユニットが上述のパラメータ3)〜8)に対して行う測定の方式は、実施例2に記載のようであり、その内容をここに合併し、ここでの詳しい記載を省略する。
【０１２１】
上述の実施例から分かるように、スプリットベアラを排除して又はスプリットベアラを排除しないでそれ相応の測定を行い、即ち、スプリットベアラの状況に応じてそれ相応の測定を行うことで、スプリットベアラが存在するデュアルコネクティビティのシナリオ下でL2を正確に測定することができ、これにより、ネットワーク管理及び保守に有効なサポートを提供することができる。
【実施例５】
【０１２２】
本発明の実施例5はさらに基地局を提供し、該基地局は実施例3又は実施例4におけるパラメータ測定装置を含んでも良く、該パラメータ測定装置の構成及び機能は、実施例3又は4に記載のようであり、ここではその詳しい説明を省略する。
【０１２３】
図8は本発明の実施例5における基地局の構成図である。図8に示すように、基地局800は中央処理装置（CPU)801及び記憶器802を含んでも良く、記憶器802は、中央処理装置801に結合される。そのうち、該記憶器802は各種のデータを記憶することができ、パラメータ測定用のプログラムを記憶することもでき、また、中央処理装置801の制御により該プログラムを実行することにより、スプリットベアラが存在する場合、関連パラメータを正確に測定することができる。
【０１２４】
一実施方式では、パラメータ測定装置の機能は中央処理装置801に統合することができる。そのうち、中央処理器801は、関連パラメータを測定する時に、スプリットベアラに対しての測定を排除し、又は、スプリットベアラに対しての測定を排除しないように構成されても良い。
【０１２５】
そのうち、スプリットベアラに対しての測定を排除する時に、該スプリットベアラ中のマスターセルグループ又はセカンダリセルグループに属する部分への測定を排除する。
【０１２６】
スプリットベアラに対しての測定を排除する時に、該スプリットベアラ中のマスターセルグループ及びセカンダリセルグループに属する部分への測定を排除する。
【０１２７】
スプリットベアラに対しての測定を排除しない時に、該スプリットベアラ中のマスターセルグループに属する部分及びセカンダリセルグループに属する部分をそれぞれ又は一括的に測定する。
【０１２８】
該関連パラメータは、下りリンク又は上りリンク中で各QCIに対応するアクティブユーザ装置の個数であり、スプリットベアラに対しての測定を排除しない時に、スプリットベアラではないアクティブユーザ装置の個数、及び、スプリットベアラであるアクティブユーザ装置の個数をそれぞれ測定する。
【０１２９】
他の実施方式では、該パラメータ測定装置は中央処理装置801と別々で構成されても良く、例えば、該パラメータ測定装置は、中央処理装置801に接続されるチップとして構成されても良く、中央処理装置801の制御により測定装置の機能を実現することができ、例えば、図8に記載のパラメータ測定装置804である。
【０１３０】
また、図8に示すように、基地局800はさらに、送受信機803及びアンテナ805などを含んでも良い。そのうち、これらの部品の機能は従来技術と同様であるため、ここではその詳しい説明を省略する。なお、基地局800は必ずしも図8に示す全ての部品を含む必要がない。また、基地局800はさらに図8に示していない他の部品を含んでも良く、これについては、従来技術を参照することができる。
【０１３１】
上述の実施例から分かるように、スプリットベアラでない及びスプリットベアラであるアクティブUEの個数をそれぞれ測定し、又は、スプリットベアラを排除して又はスプリットベアラを排除しないでそれ相応の測定を行い、即ち、スプリットベアラの状況に応じてそれ相応の測定を行うことで、スプリットベアラが存在するデュアルコネクティビティのシナリオ下で正確に測定することができ、これにより、ネットワーク管理及び保守に有効なサポートを提供することができる。
【実施例６】
【０１３２】
本発明の実施例はさらに通信システムを含み、それは少なくとも2つの基地局、及び、シングルコネクティビティの方式又はデュアルコネクティビティの方式で該基地局に接続される複数ユーザ装置を含む。そのうち、該基地局は、関連パラメータを測定する。そのうち、該基地局が関連パラメータを測定する時に、スプリットベアラに対しての測定を排除し、又は、スプリットベアラに対しての測定を排除しない。
【０１３３】
本実施例では、該通信システムは図5を参照することができ、該基地局の構成は実施例3〜5と同様であるため、ここではその詳しい説明を省略する。
【０１３４】
また、該基地局が関連パラメータを測定する方法は、実施例1〜5を参照することができ、ここではその詳しい説明を省略する。
【０１３５】
上述の実施例から分かるように、スプリットベアラを排除して又はスプリットベアラを排除しないでそれ相応の測定を行い、即ち、スプリットベアラの状況に応じてそれ相応の測定を行うことで、スプリットベアラが存在するデュアルコネクティビティのシナリオ下で正確に測定することができ、これにより、ネットワーク管理及び保守に有効なサポートを提供することができる。
【０１３６】
本発明の実施例はさらにコンピュータ可読プログラムを提供し、そのうち、パラメータ測定装置又は基地局中で前記プログラムを実行する時に、前記プログラムは、コンピュータに、前記パラメータ測定装置又は基地局中で実施例1又は2に記載のパラメータ測定方法を実行させる。
【０１３７】
本発明の実施例はさらにコンピュータ可読プログラムを記憶した記憶媒体を提供し、そのうち、前記コンピュータ可読プログラムは、コンピュータに、パラメータ測定装置又は基地局中で、実施例1及び2に記載のパラメータ測定方法を実行させる。
【０１３８】
本発明の以上の装置及び方法は、ハードウェアにより実現されても良く、ハードウェアとソフトウェアとの組み合わせにより実現されても良い。本発明は更に下記のようなコンピュータ読み取り可能なプログラムに関し、即ち、該プログラムは、ロジック部品により実行される時に、該ロジック部品に、上述の装置又は構成部品を実現させ、又は、該ロジック部品に、上述の各種の方法又はステップを実現させる。本発明は更に、上述のプログラムを記憶した記憶媒体、例えば、ハードディスク、磁気ディスク、光ハードディスク、DVD、flashメモリなどにも関する。
【０１３９】
以上、本発明の好ましい実施形態を説明したが、本発明はこのような実施形態に限定されず、本発明の趣旨を離脱しない限り、本発明に対するあらゆる変更は本発明の技術的範囲に属する。
【図１】
2017514362.tif 000012
【図２】
2017514362.tif 000013
【図３】
2017514362.tif 000014
【図４】
2017514362.tif 000015
【図５】
2017514362.tif 000016
【図６】
2017514362.tif 000017
【図７】
2017514362.tif 000018
【図８】
2017514362.tif 000019
【国際調査報告】
2017514362.tif 000020
2017514362.tif 000021
2017514362.tif 000022
2017514362.tif 000023